(57)【特許請求の範囲】
【請求項１】
携帯機器から車両のディスプレイ上に、表示要素を複写する方法であって、
車両のプロセッサ（２３）が、携帯機器（２１）の表示出力から、選択されるインターフェース領域を定義する入力を受信するために構成された領域選択インターフェースを作動させること、
前記車両のプロセッサが、車両内のターゲットとするディスプレイ位置を定義する入力を受信するために構成されたターゲット選択インターフェースを作動させること、及び、
前記車両のプロセッサが、ターゲットディスプレイ位置での表示のために、選択されたインターフェース領域の表示をディスプレイに転送すること、を備える方法。
【請求項２】
前記携帯機器は、車両内に受容される請求項１の方法。
【請求項３】
前記受容は、携帯機器（２１）と車両との間でデータ接続（２２）を確立することを含む請求項２の方法。
【請求項４】
前記データ接続（２２）は、有線データ接続と無線データ接続とからなるグループから選択された１つ以上を含む請求項３の方法。
【請求項５】
前記車両のプロセッサが領域選択インターフェースを作動させることは、表示を複数の領域に分割するためのテンプレートを選択するための入力を求めるインターフェースを表示することを含む請求項１乃至４のいずれか１項の方法。
【請求項６】
前記車両のプロセッサは、テンプレートを選択する入力を受信することに応じて、受信された入力を、利用可能な複数のテンプレートと比較し、意図された可能性が最も高いテンプレートを決定する請求項５の方法。
【請求項７】
前記車両のプロセッサが領域選択インターフェースを作動させることは、さらに、選択されたテンプレートの領域の１つを選択するための入力を求めるインターフェースを表示することを含む請求項５又は６の方法。
【請求項８】
前記インターフェースは、車両のユーザインターフェースである請求項５、６、又は７の方法。
【請求項９】
前記車両のプロセッサが領域選択インターフェースを作動させることは、表示を複数の領域に分割するための入力を求めるインターフェースを表示することを含む請求項１乃至８のいずれか１項の方法。
【請求項１０】
前記車両のプロセッサが領域選択インターフェースを作動させることは、さらに、表示を複数の領域に分割するための入力の受信に基づき、その表示の利用可能な領域のセットを算出することを含む請求項９の方法。
【請求項１１】
前記算出は、受信された入力を、携帯機器の表示の現在の表示分割と比較して、意図された可能性が最も高い分割を決定することを含む請求項１０の方法。
【請求項１２】
前記車両のプロセッサが領域選択インターフェースを作動させることは、さらに、携帯機器（２１）の表示に重ね合わせて、利用可能な領域の１つを選択するための入力を要請するためのインターフェースを表示することを含む請求項１０又は１１の方法。
【請求項１３】
前記インターフェースは、車両のユーザインターフェースである請求項９乃至１２のいずれか１項の方法。
【請求項１４】
前記車両のプロセッサがターゲット選択インターフェースを作動させることは、車両内の利用可能なターゲットディスプレイ位置を選択するための入力を求めるインターフェースを表示することを含む請求項１乃至１３のいずれか１項の方法。
【請求項１５】
利用可能なターゲットディスプレイ位置は、選択されたインターフェース領域に依存する請求項１４の方法。
【請求項１６】
さらに、前記車両のプロセッサが、
車両の状態を検出すること、及び
検出された車両の状態に応じて、ターゲットディスプレイ位置における、選択されたインターフェース領域の表示を選択的に停止することを含む請求項１乃至１５のいずれか１項の方法。
【請求項１７】
利用可能なターゲットディスプレイの位置は、インストルメントパネル、ミラー、コンソールディスプレイ、ヘッドアップディスプレイ、及び後席画面からなるグループから選択される１つ以上を含む請求項１乃至１６のいずれか１項の方法。
【請求項１８】
携帯機器（２１）は、携帯電話、スマートフォン、携帯情報端末、携帯型ナビゲーション装置、及び、タブレット型コンピュータ装置からなるグループから選択される１つ以上を含む請求項１乃至１７のいずれか１項の方法。
【請求項１９】
車両用表示複写装置であって、
携帯機器からの表示信号を受信するように接続された入力部、
携帯機器の表示出力から選択されるインターフェース領域を定義するための入力要請を
表示するように構成された第１ディスプレイ、
第１ディスプレイは、さらに、車両のターゲットディスプレイ位置を定義するための入
力要請を表示するように構成され、及び
車両の定義されたターゲットディスプレイ位置において、選択されたインターフェース
領域を表示するように構成された複数のディスプレイを備える装置。
【請求項２０】
前記複数のディスプレイは、前記第１ディスプレイを含む請求項１９の装置。
【請求項２１】
前記入力部は、前記車両内に携帯機器（２１）を受容するように構成される請求項１９又は２０の装置。
【請求項２２】
前記入力部は、携帯機器（２１）と車両との間でデータ接続（２２）を確立するように構成される請求項２１の装置。
【請求項２３】
前記入力部は、有線データ接続と無線データ接続とからなるグループから選択された１つ以上を介して、表示信号を受信するように構成される請求項１９乃至２２のいずれか１項の装置。
【請求項２４】
さらに、選択された領域を、複数のディスプレイの１つ以上に表示させるように構成されたプロセッサを備える請求項１９乃至２３のいずれか１項の装置。
【請求項２５】
前記プロセッサは、入力部から表示信号を受信し、ユーザ入力装置を通じて受信された入力に応じて、選択された領域を、複数のディスプレイの１つ以上に表示させるように構成される請求項２４の装置。
【請求項２６】
前記入力部が、携帯機器（２１）から車両のプロセッサ（２３）への表示複写のストリームの形態で、表示信号を受信するように構成される請求項１９乃至２５のいずれか１項の装置。
【請求項２７】
前記第１ディスプレイは、表示を複数の領域に分割するためのテンプレートを選択するための入力を求めるインターフェースを表示することによって、携帯機器の表示出力から選択されるインターフェース領域を定義するための入力の要請を表示するように構成される請求項１９乃至２６のいずれか１項の装置。
【請求項２８】
さらに、テンプレートを選択するための入力を受信する装置に応じて、受信された入力を、利用可能な複数のテンプレートと比較し、意図された可能性が最も高いテンプレートを決定するように構成された請求項２７の装置。
【請求項２９】
前記第１ディスプレイは、さらに、選択されたテンプレートの領域の１つを選択するための入力を求めるためのインターフェースを表示することにより、携帯機器の表示出力から選択されるインターフェース領域を定義するための入力の要請を表示するように構成された請求項２７又は２８の装置。
【請求項３０】
前記インターフェースは、車両のユーザインターフェースである請求項２７、２８、又は２９の装置。
【請求項３１】
前記第１ディスプレイは、さらに、表示を複数の領域に分割するための入力を求めるインターフェースを表示することによって、携帯機器の表示出力から選択されるインターフェース領域を定義するための入力の要請を表示するように構成される請求項１９乃至３０のいずれか１項の装置。
【請求項３２】
さらに、表示を複数の領域に分割するための入力の受信に基づき、その表示の利用可能な領域のセットを算出するように構成される請求項３１の装置。
【請求項３３】
前記算出は、受信された入力を、携帯機器の表示の現在の表示分割と比較して、意図された可能性が最も高い分割を決定することを含む請求項３２の装置。
【請求項３４】
前記第１ディスプレイは、さらに、前記利用可能な領域の１つを選択するための入力を求めるためのインターフェースを表示することによって、携帯機器の表示出力から選択されるインターフェース領域を定義するための入力の要請を表示するように構成される請求項３２又は３３の装置。
【請求項３５】
前記インターフェースは、車両のユーザインターフェースである請求項３１乃至３４のいずれか１項の装置。
【請求項３６】
前記第１ディスプレイは、さらに、車両内の利用可能なターゲットディスプレイ位置を選択するための入力を求めるためのインターフェースを表示することによって、車両のターゲットディスプレイ位置を定義するための入力の要請を表示するように構成される請求項１９乃至３５のいずれか１項の装置。
【請求項３７】
利用可能なターゲットディスプレイ位置は、選択されたインターフェース領域に依存する請求項３６の装置。
【請求項３８】
さらに、車両の状態に応じて、車両の定義されたターゲットディスプレイ位置における、選択されたインターフェース領域の表示を選択的に停止するように構成された状態依存制御を備える請求項１９乃至３７のいずれか１項の装置。
【請求項３９】
利用可能なターゲットディスプレイの位置は、インストルメントパネル、ミラー、コンソールディスプレイ、ヘッドアップディスプレイ、及び後席画面からなるグループから選択される１つ以上を含む請求項１９乃至３８のいずれか１項の装置。
【請求項４０】
携帯機器（２１）は、携帯電話、スマートフォン、携帯情報端末、携帯型ナビゲーション装置、及び、タブレット型コンピュータ装置からなるグループから選択される１つ以上を含む請求項１９乃至３９のいずれか１項の装置。
【請求項４１】
請求項１９から４０のいずれか１項の装置を有する車両。
【請求項４２】
車両内に受容される携帯機器（２１）とデータ接続（２２）を提供するように構成された機器インターフェース、
前記機器インターフェースを介して、受容された携帯機器（２１）と通信を行うとともに、携帯機器（２１）から自身への表示複写データのストリームを形成するように構成されたヘッドユニット、
それぞれにおける表示のために、前記ヘッドユニットからのデータ入力を受信するようにそれぞれ接続された複数のディスプレイ、及び
前記ヘッドユニットに接続され、受け取った入力をヘッドユニットに送信するように構成された入力装置を備え、
前記ヘッドユニットは、受容された携帯機器（２１）の表示出力から選択されるインターフェース領域を定義するために、前記ディスプレイの１つに、入力装置を介しての入力を要請するユーザインターフェースセクションを表示させるように構成され、
前記ヘッドユニットは、さらに、複数のディスプレイの１つにターゲットディスプレイ位置を定めるために、ディスプレイの１つに、入力装置を介しての入力を要請するユーザインターフェースセクションを表示させるように構成され、
前記ヘッドユニットは、さらに、ターゲットディスプレイ位置を持つディスプレイに、選択されたインターフェース領域に関するデータを転送するように構成されている車両。
【請求項４３】
車両用コンピュータであって、
接続された携帯機器（２１）と通信するように構成された携帯機器データ接続入力部、
表示バッファコンテンツを出力するように構成された表示出力部、
入力信号を受信するように構成された入力装置接続部を備え、
前記携帯機器データ接続入力部を介して、携帯機器表示データのストリームを受信し、
表示分割入力を要求するためのユーザインターフェース要素を描画するデータを前記表示出力部を介して出力し、
表示分割入力を前記入力装置接続部を介して受信し、
受信された表示分割入力に基づき表示分割を決定し、
ターゲットディスプレイの入力を要求するためのユーザインターフェース要素を描画するデータを前記表示出力部を介して出力し、
ターゲットディスプレイの入力を前記入力装置接続部を介して受信し、
前記表示出力部を介して、ターゲットディスプレイに、決定された表示分割に対応する携帯機器データのストリームの一部を出力するように構成されたコンピュータ。
【請求項４４】
表示複写データのストリームを生じるように構成されたデータ出力部、
アプリケーションソフトウェアを記憶するように構成されたメモリ、
ディスプレイ、及び、
アプリケーションソフトウェアを実行し、前記データ出力部を介してデータを出力するとともに、前記ディスプレイに、アプリケーションソフトウェアのインターフェースデータを出力するように構成されたプロセッサを備え、
前記アプリケーションソフトウェアは、表示分割入力を要請するインターフェース要素をディスプレイに出力し、ターゲットディスプレイの入力を要請するインターフェース成分をディスプレイに出力し、表示のために接続された車両のターゲットディスプレイに、表示分割に対応する部分的な表示複写データのストリームをデータ出力部から出力するよう、プロセッサに指示を与える携帯機器。
【請求項４５】
プログラム可能な処理装置に、請求項１乃至１８のいずれか１項の方法を実行させ、もしくは、請求項１９乃至４１のいずれか１項の装置、請求項４３のコンピュータ、又は請求項４４の携帯機器（２１）として構成されるためのコンピュータプログラム。
【請求項４６】
車両のプロセッサに、請求項１乃至１８のいずれか１項の方法を実行させるコンピュータプログラムが記録された不揮発性のコンピュータ読み取り可能な媒体。
【請求項４７】
コンピュータによって実行される指示を有し、その指示は、請求項１９乃至４１のいずれか１項の装置として構成されるようになるためのものである不揮発性のコンピュータ読み取り可能な媒体。
【請求項４８】
コンピュータによって実行される指示を有し、その指示は、請求項４３のコンピュータとして構成されるようになるためのものである不揮発性のコンピュータ読み取り可能な媒体。
【請求項４９】
コンピュータによって実行される指示を有し、その指示は、請求項４４の携帯機器として構成されるようになるためのものである不揮発性のコンピュータ読み取り可能な媒体。
【発明の詳細な説明】
【技術分野】
【０００１】
（関連出願への相互参照）
本出願は、２０１１年７月１２日提出の参照する英国特許出願第１１１１９１１．２に基づくものであり、その開示内容は参照により本明細書に組み入れられる。
【０００２】
本開示は、概して、表示のための方法、装置、コンピュータ、及び携帯機器、並びに、その装置を有する車両に関するものであり、特に、ただし限定されるものではないが、携帯機器から車両のディスプレイへの表示の全体的なもしくは部分的な複写に関する。
【背景技術】
【０００３】
例えば乗用車やバンなどの自動車を含む車両は、情報を表示するために設けられた１つ以上の表示画面を有している。その情報は、例えば、車両に組み込まれたナビゲーション装置に関する情報や、いわゆる車内エンターテイメントに関する情報を含む。
【発明の概要】
【発明が解決しようとする課題】
【０００４】
前述の点に鑑みて、本開示の目的は、限定されるものではないが、携帯機器から車両のディスプレイへの表示の全体的なもしくは部分的な複写に関する、方法、装置、コンピュータ、及び携帯機器を提供することにある。また、本開示の目的は、その装置を有する車両を提供することにある。
【課題を解決するための手段】
【０００５】
第１の面から見ると、複写される携帯機器の表示から選択された領域を、車両の選択されたディスプレイ上に表示させる方法及び装置が提供される。それにより、ユーザは、携帯機器から複写された情報を、車両内において、車両の都合の良いディスプレイ上で観ることができる。
【０００６】
別の面から見た場合、携帯機器から車両のディスプレイ上に、表示要素を複写する方法が提供され、その方法は、携帯機器の表示出力から、選択されるインターフェース領域を定義する入力を受信するように構成された領域選択インターフェースを作動させること、車両内のターゲットとするディスプレイ位置を定義する入力を受信するように構成されたターゲット選択インターフェースを作動させること、及び、ターゲットディスプレイ位置での表示のために、選択されたインターフェース領域を車両に出力することを含む。
【０００７】
さらに別の面から見た場合、車両用表示複写装置が提供され、その装置は、携帯機器からの表示信号を受信するように接続された入力部、及び、携帯機器の表示出力から選択されるインターフェース領域を定義するための入力要請を表示するように構成された第１ディスプレイを備える。第１ディスプレイは、さらに、車両のターゲットディスプレイ位置を定義するための入力要請を表示するように構成される。そして、装置は、車両の定義されたターゲットディスプレイ位置において、選択されたインターフェース領域を表示するように構成された複数のディスプレイを備える。
【０００８】
別の面から見ると、その表示複写装置を有する車両が提供される。
【０００９】
さらに別の面から見ると、車両内に受容される携帯機器との間でデータ接続を提供するように構成された機器インターフェースと、機器インターフェースを介して、受容された携帯機器と通信を行うとともに、携帯機器からの表示複写データのストリームを形成するように構成されたヘッドユニットと、表示のために、ヘッドユニットからのデータ入力を受信するようにそれぞれ接続された複数のディスプレイと、ヘッドユニットに接続され、受け取った入力をヘッドユニットに送信するように構成された入力装置とを備えた車両が提供される。ヘッドユニットは、受容された携帯機器の表示出力から選択されるインターフェース領域を定義するために、ディスプレイの１つに、入力装置を介しての入力を要請するユーザインターフェースセクションを表示させるように構成されている。また、ヘッドユニットは、複数のディスプレイの１つにターゲットディスプレイ位置を定めるために、ディスプレイの１つに、入力装置を介しての入力を要請するユーザインターフェースセクションを表示させるように構成されている。さらに、ヘッドユニットは、ターゲットディスプレイ位置を持つディスプレイに、選択されたインターフェース領域に関するデータを転送するように構成されている。
【００１０】
また、別の面から見ると、車両用コンピュータが提供され、そのコンピュータは、接続された携帯機器と通信するように構成された携帯機器データ接続入力部と、表示バッファコンテンツを出力するように構成された表示出力部と、入力信号を受信するように構成された入力装置接続部とを備える。コンピュータは、携帯機器データ接続入力部を介して、携帯機器表示データのストリームを受信し、表示分割入力を要求するためのユーザインターフェース要素を描画するデータを表示出力部を介して出力し、表示分割入力を入力装置接続部を介して受信し、受信された表示分割入力に基づき表示分割を決定し、ターゲットディスプレイの入力を要求するためのユーザインターフェース要素を描画するデータを表示出力部を介して出力し、ターゲットディスプレイの入力を入力装置接続部を介して受信し、そして、表示出力部を介して、ターゲットディスプレイに、決定された表示分割に対応する携帯機器データのストリームの一部を出力する。
【００１１】
さらに、別の面から見ると、表示複写データのストリームを生じるように構成されたデータ出力部と、アプリケーションソフトウェアを記憶するように構成されたメモリと、ディスプレイと、そして、アプリケーションソフトウェアを実行し、データ出力部を介してデータを出力するとともに、ディスプレイに、アプリケーションソフトウェアインターフェースデータを出力するように構成されたプロセッサとを備えた携帯機器が提供される。アプリケーションソフトウェアは、表示分割入力を要請するインターフェース要素をディスプレイに出力し、ターゲットディスプレイの入力を要請するインターフェース成分をディスプレイに出力し、表示のために接続された車両のターゲットディスプレイに、表示分割に対応する部分的な表示複写データのストリームをデータ出力部から出力するよう、プロセッサに指示を与える。
【００１２】
別の面から見ると、プログラム可能な処理装置に、携帯機器から車両のディスプレイ上に、表示要素を複写する方法を実行させるように構成される、あるいは、表示複写装置、コンピュータ、又は携帯機器として構成されるためのコンピュータプログラム製品が提供される。
【００１３】
また、別の面から見ると、そのコンピュータプログラム製品を含む不揮発性のコンピュータ読み取り可能な媒体が提供される。
【００１４】
本開示によって提供される更なる特徴、及びそれらの組み合わせは、以下の説明から明らかとなる。
【００１５】
また、本開示の上記及びその他の目的、特徴、利点は、添付図面を参照しつつなされる下記の詳細な説明からより明らかになる。
【図面の簡単な説明】
【００１６】
【図１】車室の概略図を示す。
【図２】車両によって受容される携帯機器の概略図を示す。
【図３】単一のディスプレイの、各領域への区分を概略的に示している。
【図４】図４Ａ及び図４Ｂは、表示領域複写方法のフローチャートを示す。
【図５】領域区分の入力を受けるためのユーザインターフェースの概略図を示す。
【図６】領域区分の入力を受けるための別のユーザインターフェースの概略図を示す。
【図７】図７Ａ、図７Ｂ、図７Ｃ、図７Ｄ、図７Ｅ、図７Ｆは、領域区分の入力を受けるためのユーザインターフェースの更なる例の概略図を示す。
【図８】図８Ａ及び図８Ｂは、テンプレート比較をもたらす領域区分の入力の概略図を示す。
【図９】テンプレート比較の概略図を示す。
【図１０】テンプレート比較のフローチャートを示す。
【図１１】第１の領域のための、ターゲットディスプレイの選択を行うユーザインターフェースの概略図である。
【図１２】第２の領域のための、ターゲットディスプレイの選択を行うユーザインターフェースの概略図である。
【発明を実施するための形態】
【００１７】
本開示は、種々の変形や代替の形態を許容するが、具体的な実施例が、図示された例によって示されており、本明細書において詳細に説明される。しかしながら、図面及びその詳細な説明が、本開示を、開示された特定の形態に制限することを意図したものではなく、むしろ、本開示は、本開示の主旨及び範囲に属する全ての変形、均等物、代替物を含むべきものであることが理解されるべきである。
【００１８】
自動車のような車両において、１つ以上の多用途表示画面が、車室内に設けられる。そのような画面の例には、中核となる車両状態（例えば、速度、燃料、温度など）を表示するために使用されるエリアに配置された画面、１つ以上のミラーのそれぞれに配置された画面、いわゆるセンターコンソール位置に配置された画面、ヘッドアップディスプレイ（ＨＵＤ）、及び（一列よりも多いシートを備えた車両の場合）後席乗員による視聴のために前列シートの背面に搭載された画面などが含まれる。そのような画面が搭載される車両の例には、乗用車、バン、トラック、ピックアップ、大型トラック、及び自動二輪車が含まれる。
【００１９】
車室内の概略図の例が図１に示されている。その図には、ダッシュボード１が図示され、それに関連して、いくつかの画面位置の例が示されている。図から明らかなように、ステアリングホイール３を通じて視聴されるように配置されたのは、インストルメントパネル５である。このインストルメントパネル５は、１つ以上の多目的ディスプレイに加えて、いくつかの機械的な、及び／又は、専用の電子的な表示要素を含んでいる。また、バックミラー７及びドアミラー９が示されており、それらの１つ以上は、その全面もしくは一部に埋め込まれた多目的ディスプレイを有している。加えて、ダッシュボード１のセンターコンソールの領域１１に多目的画面１３が設けられている。さらに、一部の車両には、ヘッドアップディスプレイ１４が設けられることもある。操作装置１５が、例えば車内のエンターテイメントシステムの制御を可能とするために設けられている。収納庫１７、及び／又は、機器ホルダー１９が設けられ、そこに携帯機器が置かれたり、それによって携帯機器が受容されたりする。さらに、無線ではなく物理的な携帯機器との接続を使用する準備のために、１本以上のケーブル２０が設けられている。
【００２０】
本説明において、多目的ディスプレイは、１セットよりも多いコンテンツを、別々の時間に表示するように構成されたディスプレイである。従って、多目的ディスプレイは、車両表示制御システム、すなわちユーザの制御下において、異なるアウトプットを表示するようにコントロールされ、任意の適切なアウトプットを表示することが可能である。例えば、単一の画面領域が、別々の時間に、速度情報、ナビゲーション情報、及びオーディオ情報を表示するように構成され得る。ある例においては、そのようなディスプレイは、薄膜トランジスタ（ＴＦＴ）の技術を利用した液晶ディスプレイ（ＬＣＤｓ）のような、アクティブマトリクス方式のディスプレイ、もしくはパッシブマトリクス方式のディスプレイ、アクティブマトリクス方式の有機発光ダイオード（ＡＭＯＬＥＤ）、スーパーＬＣＤなどである。もしくは、ＬＥＤを配列したようなディスプレイや、陰極線管（ＣＲＴ）ディスプレイが使用されても良い。
【００２１】
以下に、車両内に受容された携帯機器の表示の１以上の領域から取り出された表示情報を、車両内の１以上の多目的ディスプレイに表示することに関連する説明が与えられる。この文脈において、「受容される」との用語は、携帯機器と車両との間のデータ接続に言及するものである。携帯機器は、通常、なんらかの方法で、車両内に置かれ、もしくは据え付けられるが、携帯機器の実際の物理的な位置及び車両への接続方法（有線もしくは無線）は重要なものではなく、機器は、車両の収納庫１７内に置かれても良いし、車両の機器ホルダー１９に搭載されても良いし、（荷物入れやトランクのような）車両内の別個の区域に置かれても良いし、（車両室内や、荷物入れやトランクのような別個の区域に置かれる代わりに）車両の運転者又は乗員の衣服やバッグ内に位置しても良いし、あるいは、（ルーフボックスのような）車両外部の収納庫に置かれていても良い。このように、本教示を利用することによって、運転者の明瞭な視野内に設置された特殊な機器ホルダーに保持された携帯機器の使用を不要としながら、車両を運転する間に、携帯機器の表示情報を視聴することができるようになる。
【００２２】
図２は、車両内に受容される携帯機器を図示している。携帯機器２１は、ユーザが車両のディスプレイに複写したいと望む表示を持った任意の形態の携帯型コンピュータ機器を含む。携帯機器の例には、携帯電話、（ｉＰｈｏｎｅ（登録商標）、Ａｎｄｒｏｉｄ（登録商標）フォン、Ｂｌａｃｋｂｅｒｒｙ（登録商標）フォン、Ｗｉｎｄｏｗｓ Ｍｏｂｉｌｅ（登録商標）フォン、Ｓｙｍｂｉａｎ（登録商標）フォン、ＷｅｂＯＳ（登録商標）フォンなどの）スマートフォン、（ｉＰｏｄ Ｔｏｕｃｈ（登録商標）、Ｐａｌｍ（登録商標）ハンドヘルド、Ｗｉｎｄｏｗｓ Ｍｏｂｉｌｅ（登録商標）ハンドヘルドなどの）携帯情報端末、（ｉＰａｄ（登録商標）、Ａｎｄｒｏｉｄ（登録商標）タブレット、ＷｅｂＯＳ（登録商標）タブレット、Ｂｌａｃｋｂｅｒｒｙ（登録商標）タブレットなどの）タブレット型コンピュータ、携帯型ナビゲーション装置、及び、（Ｍｉｃｒｏｓｏｆｔ Ｗｉｎｄｏｗｓ（登録商標）やＬｉｎｕｘ（登録商標）オペレーティングシステムを使用したラップトップコンピュータのような）携帯型コンピュータが含まれる。
【００２３】
図示されるように、携帯機器２１は、データ接続２２を介して、車両コンピュータ２３に接続されている。データ接続２２は、有線接続であっても、無線接続であっても良い。有線接続は、ミニ／マイクロＵＳＢポートやＡｐｐｌｅ（登録商標）ドッキングコネクタのような、機器における任意の好適な物理的コネクタを利用することができる。無線接続は、Ｗｉ−Ｆｉ（登録商標）（ＩＥＥＥ８０２．１１ａ／ｂ／ｇ／ｎ／ｐ）やＢｌｕｅｔｏｏｔｈ（登録商標）のような、任意の好適な無線接続技術を利用することができる。
【００２４】
車両コンピュータ２３は、ハードディスク、ソリッドステート記憶装置、及びＤＶＤドライブなどの大量データ記憶装置２５とのデータ接続２４を有している。そのような大量データ記憶装置２５は、コンピュータのオペレーティングシステム、ナビゲーションアプリケーションのためのデータ、及び／又は、オーディオビジュアルデータを記憶するために用いられる。車両コンピュータ２３及びデータ記憶装置２５は、（図に点線で示される）「ヘッドユニット」２７と称される。他の例においては、ヘッドユニット２７はコンピュータだけを含み、データ記憶装置は別個のユニットもしくはモジュールであっても良い。車両コンピュータ２３は、一般的なプロセッサ、メモリ、データＩ／Ｏ、及びビデオ出力の構成を含み、Ｌｉｎｕｘ（登録商標）、Ｗｉｎｄｏｗｓ Ａｕｔｏｍｏｔｉｖｅ（登録商標）、Ａｎｄｒｏｉｄ（登録商標）もしくはＱＮＸ（登録商標）などのオペレーティングシステムを用いて動作する。
【００２５】
車両コンピュータ２３は、また、１つ以上のディスプレイを駆動する能力を有している。本実施例では、ディスプレイ駆動接続２８が主ディスプレイ２９への駆動を与え、ディスプレイ駆動接続３０が１つ以上の副ディスプレイ３１への駆動を与える。ここで、主ディスプレイとの用語は、車両コンピュータのための基本となるユーザインターフェースが表示されるディスプレイ（これは、ユーザの制御の下で、選択可能である）を示すために使用され、副ディスプレイとの用語は、車両コンピュータが表示駆動を与える、その他のいずれかのディスプレイを示すために使用される。図１の車室の例の内容では、主ディスプレイはセンターコンソールディスプレイ１３である一方、インストルメントパネル５、バックミラー７、もしくはドアミラー９内のディスプレイは、副ディスプレイとして取り扱われるかもしれない。他の例では、インストルメントパネル内のディスプレイが、主ディスプレイとなるかもしれない。
【００２６】
車両コンピュータへの操作入力は、いくつかのアプローチの１つを用いて与えられる。第１に、（図１の要素１５によって図示されるように）専用の入力ボタン、ダイアル、ジョイスティック、もしくは他の操作部が設けられても良い。また、センターコンソールディスプレイ１３のような、１つ以上のディスプレイが、タッチスクリーン入力機構を有し、それにより、画面上のジェスチャー、ボタンの選択、及び／又は、タッチキーボードの使用によって入力を可能としても良い。
【００２７】
ここまで、携帯機器が車両内に受容されるための配置や構成の例を説明した。以下の説明では、携帯機器から車両の１つ以上のディスプレイに、表示領域を複写することに関する教示が与えられる。
【００２８】
図３は、表示を分割するためのユーザインターフェースと、分割された表示領域を表示する際に使用される表示ハードウエアとの間の相互作用を概略的に示している。
【００２９】
本実施例では、ユーザインターフェースが表示されるディスプレイは、車両コンピュータによって駆動される車両のディスプレイであり、そのため、分割処理を実行し、選択されたディスプレイへの領域の転送を実行するのは、車両コンピュータである。これを成し遂げるため、携帯機器の表示が、適切な表示複写方法によって車両に複写される。携帯機器が、スマートフォンやタブレット型コンピュータのような小型の携帯機器である場合、表示の複写は、携帯機器から、接続された装置へと、一連のスクリーンショットを転送する技術を利用することができる。そのような技術は、十分な映像出力の転送の効果を奏することができるように、その十分な映像出力の転送よりも低いデータレートではなく、頻繁にスクリーンショットの生成及び転送を行うことが求められる。そのような技術の例には、ターミナルモード（Ｔｅｒｍｉｎａｌ Ｍｏｄｅ）及び仮想ネットワーククライアント（Ｖｉｒｔｕａｌ Ｎｅｔｗｏｒｋ Ｃｌｉｅｎｔ）が含まれる。携帯機器が十分な映像出力能力を有する場合（例えば、携帯機器がラップトップコンピュータである場合）、表示複写方法は、そのラップトップの十分な映像出力能力を車両コンピュータの表示入力機能に結び付ける。そのような複写は、携帯機器の画面の全範囲の完全な複写を車両に与える。
【００３０】
本実施形態では、図３に示されるように、（例えば、携帯機器からの）映像入力４１が受信され、それは、携帯機器の表示の完全なもしくは部分的な画面の複写を与える。部分的な画面の複写の場合、車両コンピュータは、完全な複写と同じように部分的な複写を取り扱うことができる。車両コンピュータは、必ずしも、携帯機器の表示がどれだけ複写されたかを知らないし、知る必要もない。そして、画面を複数の領域に分割するために、（以下に詳細に説明されるように）選択処理が行われる。図３の例において、２本の分割線４３が使用され、その結果、映像入力を介して受信された携帯機器の表示を４つの領域４４、４６、４８、及び５０に分割している。それらの異なる領域は、車両コンピュータによって、４つのフレームバッファ４５、４７、４９、及び５１に分離される。そして、ターゲットディスプレイ５３に対し、表示を分割するために車両コンピュータによって利用されるそれぞれのフレームバッファの出力が、各表示領域のため、ターゲットディスプレイのフレームバッファへの入力として用いられる。他の例では、分割された画面からの出力ブレームバッファは、ターゲットディスプレイの入力バッファと同じバッファであっても良い。
【００３１】
図３に示されるように、第２の領域４６用である、車両コンピュータからの出力フレームバッファ４７は、本例では、ターゲットディスプレイのセクションＡ用のフレームバッファ５４に向けられ、第４の領域５０用である、車両コンピュータからの出力フレームバッファ５１は、本例では、ターゲットディスプレイのセクションＢ用のブレームバッファ５５に向けられる。本例においては、携帯機器の表示複写に利用されない、ターゲットディスプレイの第３のセクション５６が存在する。これは、車両のディスプレイの一部が、例えばインストルメントパネル表示、ユーザによって選択された優先表示、ナビゲーション表示、あるいは、以前に選択された携帯機器の表示領域など、基本となる車両の表示のために確保されている場合に生じる。
【００３２】
このように、複写される表示の分割表示を円滑にするための、表示バッファへの及び表示バッファ間の表示データを処理するためのアプローチについて説明された。
【００３３】
図４Ａ及び図４Ｂは、車両の１つ以上のディスプレイ上に、１つ以上の携帯機器の表示領域を複写するために、車両コンピュータによって実行される一連の処理をそれぞれ図示したフローチャートを示しており、別の見方をすれば、画面の再結合、再構築プロセスを説明するものであり、携帯機器の表示と車両の１つ以上のディスプレイとの関連づけを生成し、もしくは修正するものである。事前分割チェックが図４Ａに図示されており、メインの分割プロセスが図４Ａに図示されている。事前分割チェックは、本例において、携帯機器のディスプレイがフル画面の映像コンテンツを再生している場合に、表示分割の可能性を排除するために用いられる。ディスプレイの複写のために、そのような出力が必要とされると思われるが、本実施例では、ユーザが再生中映像を細分化することは好ましくなく、フル画面の複写が最も適切な複写のアプローチであると想定している。
【００３４】
従って、事前分割チェックの処理は、ステップＳ１において、画面の再結合を要求するユーザ入力を受信し、それに応じて、ステップＳ３において、携帯機器の画面出力が、現在のところ、もっぱら動画のために充てられているかどうかをチェックする。このチェックの結果が肯定的であると、処理はステップＳ５に進み、ユーザは、細分化の提示は受けずに、車両内のターゲットディスプレイの選択の提示のみを受ける。一旦、任意の画面の選択プロセスが完了すると、処理は終了する。一方、ステップＳ３において、携帯機器のディスプレイが、もっぱら動画に充てられていないと判定されたならば、処理はステップＳ７に進み、完全な再結合プロセスが開始される。
【００３５】
図４Ｂを参照すると、完全な再結合プロセスがステップＳ９から始まり、再結合モードに入る。このモードに入ると、携帯機器からの表示が、車両のディスプレイ上、典型的には主ディスプレイ上においてユーザに提供され、システムは、表示の分割を指示するマーキングのためのユーザからの入力を受信する準備を行う。ステップＳ１１において、分割マーキング入力を受信すると、処理はステップＳ１３に進み、画面分割テンプレートが選択される。選択されたテンプレートは、ステップＳ１５において、ユーザに提供され、そこで、入力が待機される。入力が受信されると、ステップＳ１７において、その入力が「戻る」である場合、別のテンプレートを選択するために、処理はステップＳ１３に戻る。一方、その入力が肯定的な選択であった場合、ターゲットディスプレイの選択のために処理はステップＳ１９に進む。分割マーキング入力及びテンプレートの選択に関するより詳細な説明が、後に、図５から図１０を参照しつつなされる。
【００３６】
ステップＳ１９では、利用可能なターゲットディスプレイの位置が提示され、ステップＳ２１において、選択入力が受信される。選択入力に応じて、ステップＳ２３において、選択された領域が、選択されたターゲットディスプレイに表示される。分割マーキング入力及びテンプレートの選択に関するより詳細な説明が、後に、図１１及び図１２を参照しつつなされる。
【００３７】
そして、処理は、ステップＳ２５における、まだ携帯機器の表示領域が利用可能なまま残っているかどうか判定するためのチェックに進む。その答えが「Ｙｅｓ」である場合、ステップＳ２７において、直前に選択された領域が、選択には利用できないものと記録される。その後、処理はステップＳ２９に進み、残っている画面分割オプションが選択のために提示される。そして、処理は、選択入力を取り扱うために、ステップＳ１７に戻る。
【００３８】
一方、もう利用可能な携帯機器の表示領域は残されていないとステップＳ２５で判定されると、その場合、ステップＳ３１において、画面分割を示し、かつターゲットディスプレイでの再表示に割り当てられていない残余の領域を示す画面が再描画される。画面分割テンプレートが再表示不可領域を含む場合、もしくは、いくつかの領域の充てがいが終わる前に、全ての見込みのあるターゲットディスプレイが他の領域のために割り当てられた場合、このように領域が残ることがあり得る。この時点において、処理は、ステップ３３において、再結合モードから抜ける。
【００３９】
以上のように、携帯機器の表示が複数の領域に分割され、それらの領域の１つ以上が、携帯機器が受容される車両のターゲットディスプレイでの表示のために選択される処理について説明された。
【００４０】
次に、図５を参照して、再結合モードに入り、分割マーキングを定義するための入力を受信する処理の例が、ポイント入力を使用する車両コンピュータのユーザインターフェースを表示する主ディスプレイにおけるスクリーンショットの例を通じて、説明される。
【００４１】
最初に、再結合モード６１以前のインターフェースが、携帯機器の表示のそのままの複写を示す。一旦、再結合モードに入ると、ディスプレイ６３は、分割を行うための入力を要求する要素を表示する。本例では、携帯機器の表示に複写上に、重ね合わせ要素として、入力の合図、分割の図解、及び他のインターフェース要素が提示される。他の例では、携帯機器の表示の複写の近傍に置かれるアイコンや他のインジケータ、及び／又は携帯機器の表示の複写の上、近く、あるいは、代わりとして配置される、携帯機器表示のアイコン的なもしくは図式の表現のような、代替的なタイプのインターフェース要素が用いられても良い。
【００４２】
分割生成入力は、上記の入力装置のいずれを用いて与えられても良い。例えば、入力は、（直接的なタッチスクリーン入力、タッチスクリーン又は独立したタッチパッドからのカーソル制御入力のいずれかの）ある形態のタッチ入力を用いて与えられても良いし、(ジョイスティック又はハプティックスイッチのような)他の操作装置によって与えられても良いし、音声コントロールによって与えられても良い。
【００４３】
ポイント入力選択の２つの例が、図５に図示されている。それらの画面は、重ね合わされる分割入力インターフェースとともに、携帯機器の複写された表示を映す。
【００４４】
画面６５は、表示の、いずれの境界線にも近接していないポイント入力６６を示している。そのため、このポイント入力は、画面の高さ及び幅に平行に走る一対のラインの交点として取り扱われ、その結果、４つの領域が定義される。
【００４５】
画面６７は、表示の境界線に近接したポイント入力６８を示している。そのため、このポイント入力は、それが近接する境界線に垂直なライン上のポイントとして取り扱われ、その結果、画面は２つの領域に２分される。このように、入力が（図示されるように）サイドの境界線に近接している場合、上方領域と下方領域とに２分する結果となる。入力が、上方又は下方の境界線に近接している場合には、左方領域と右方領域とに２分する結果となる。
【００４６】
次に、図６を参照して、再結合モードに入り、分割マーキングを定義するための入力を受信する処理の例が、ライン入力を使用する車両コンピュータのユーザインターフェースを表示する主ディスプレイにおけるスクリーンショットの例を通じて、説明される。
【００４７】
最初に、再結合モード６１以前のインターフェースが、携帯機器の表示のそのままの複写を示す。一旦、再結合モードに入ると、ディスプレイ６３は、分割を行うための入力を要求する重ね合わせ要素を表示する。
【００４８】
分割生成入力は、上記の入力装置及びアプローチのいずれを用いて与えられても良い。
【００４９】
ライン入力選択の３つの例が、図６に図示されている。それらの画面は、重ね合わされる分割入力インターフェースとともに、携帯機器の複写された表示を映す。
【００５０】
画面６９は、画面を横切る分割ラインを近似するライン入力７０を示している。このように、入力は、２分割ラインとして取り扱われ、２つの領域への分割という結果をもたらす。図示されるように、分割ラインは、水平な分割ラインに近似され、上方と下方との分割という結果をもたらす。ラインが、水平ラインよりも垂直ラインにより適切に近似できるものであったならば、代わりに、左方領域と右方領域とが定義され得る。本例では、受信されたユーザ入力が、ディスプレイにおけるｘ及びｙの両方向での最小値及び最大値を計測するために記録される。ｘの最小値と最大値との差異が、ｙの最小値と最大値との差異よりも大きいならば、入力はｘ方向に沿った水平ラインとして取り扱われ、上方と下方の領域という結果をもたらす。これとは逆に、ｙの最小値と最大値との差異が、ｘの最小値と最大値との差異よりも大きいならば、入力はｙ方向に沿った垂直ラインとして取り扱われ、右方と左方の領域という結果をもたらす。水平ラインの場合、上方と下方の領域の相対的なサイズを定義するｙ方向位置は、入力ラインのｙの値のいずれかに基づいて定義され得る。図示された例では、ｙ位置は、ラインの入力から記録されたｙの値の中央値とされている。他の例では、y位置は、ラインの入力の最小のｙ値とされたり、ライン入力の最大のｙ値とされたり、あるいは、最小と最大の値によって定義されうる任意の他の位置とされたりする。理解されるように、ラインが垂直ラインである場合のｘ方向の値に関して、同じアプローチを取ることができる。
【００５１】
画面７１は、第１のスクリーン領域において、対角寸法を定義するライン入力７２を示している。それ故、これは、図５に示される画面６５におけるポイント入力６６と非常に類似した入力となる。システムは、ラインが、入力が実際に開始された点に最も近いディスプレイのコーナーにおいて開始され、ラインの終点において終了したものと解釈し、その終点は、画面を横切る水平及び垂直分割ラインの交点を与える。
【００５２】
画面７３は、領域の境界線を近似する曲線状の入力ライン７４を示している。このラインは、１つの領域の境界線を定義するために使用され、その境界線は、表示を分割するように伸ばされる。このように、本例においては、入力ライン７４は、左側の端からある距離まで画面の反対側に向かって伸び、かつ上方及び下方の端のいずれにも接触しない、画面の垂直高さの一部に沿って伸びる領域を定義する。ラインの位置は、入力ラインのｘ値及びｙ値の最大、最小を観察し、それぞれの最大値及び最小値の各々に対応して分割ラインを配置することによって特定される。本例の入力は、６つの領域を与えるように、２本の水平分割ラインと１本の垂直分割ラインを規定する。別の例では、入力は、ただ１本の水平ラインとただ１本の垂直ラインとで４つの領域を生じる結果となるように、その入力が開始された位置に最も近いコーナーから始まったものと解釈されうる。
【００５３】
さらに、複数の水平ライン及び／又は垂直ラインを生み出すポイント入力とライン入力との両方の例が、図７Ａから図７Ｆに示されている。それらの画面は、重ね合わせられた分割入力インターフェースとともに、携帯機器の複写された表示を映す。
【００５４】
図７Ａにおいて、画面７５は、２つのポイント入力７６が与えられ、それらのそれぞれが、画面を横切る、所望の領域の境界線の交点を定義する状況を示している。この例では、２つのポイントが、表示の９つの領域を定義する。
【００５５】
図７Ｂにおいて、画面７７は、２つのポイント入力７８がそれぞれ画面の境界近傍において与えられ、その結果、本例では、２本の水平ラインが定義され、３つの表示領域の結果をもたらす状況を示している。
【００５６】
図７Ｃにおいて、画面７９は、１つのポイント入力８０と、１本のライン入力８１とが与えられた状況を示している。ポイント入力８０は、１本の垂直ラインと１本の水平ラインとを生み出すラインの交点を定義し、ライン入力８１は、１本の水平ラインを定義し、その結果、６つの領域が生成される。
【００５７】
図７Ｄにおいて、画面８２は、２本のライン入力８３が与えられた状況を示している。この例では、両方のライン入力が水平であり、その結果、３つの領域が定義される。
【００５８】
図７Ｅにおいて、画面８４は、２本の異なるライン入力が与えられた状況を示している。図６の画面７１に示されたものと類似するライン８５は、ラインの交点に達する対角の領域を定義し、水平ライン８６は、単一の水平ラインを定義する。従って、本例では、６つの領域が定義される。
【００５９】
図７において、画面８７は、１本の曲線状のライン入力８８と１本の直線状のライン入力８９とが与えられた状況を示している。曲線状のライン入力は３本のラインを定義し、直線状のラインは１本のラインを定義するので、８個の領域が与えられる。
【００６０】
このように、ポイント及びライン入力の多様な例が説明された。そこにおいて、入力は、表示分割のため、意図された領域の境界線を定義すべく受信される。理解されるように、異なる実施例では、それらの入力アプローチの例の１つ以上が一緒に使用されたり、単一の車両コンピュータシステムにおいて、入力モードを異ならせたりするようにしても良い。加えて、異なる実施例では、領域定義のために認められる、１本、２本、又はそれ以上の平行な領域の境界線が与えられても良い。また、いくつかの例では、利用可能な境界線の数が、携帯機器の表示の物理的なサイズ、つまりピクセル数のサイズに依存するものであっても良い。例えば、タブレットコンピュータの表示に対しては、スマートフォンの表示よりも多くの境界線が許容されても良い。
【００６１】
さらに、上述した全ての例は、携帯機器の表示に水平もしくは垂直に揃うように境界分割ラインを定義したが、領域境界ラインは、ある角度で表示を横切るものであっても良いし、曲がっていても良い。図３を参照すれば、領域定義ラインは、ソースとなる表示の各要素が、いずれかのターゲットディスプレイに転送されるためのピクセルパターンを設定するためのものであることが理解されるであろう。
【００６２】
分割入力に基づいて、画面分割テンプレートを選択することの考察へ進む。図８Ａは、境界線位置を定義するための入力から決定された２本の分割ライン９２を重ね合わされた画面９１を示している。従って、本例の表示９１は、４つの領域Ａ、Ｂ、Ｃ、Ｄを有している。この例において、それぞれの領域の寸法は、次のとおりである。Ａ＝８×８ユニット、Ｂ＝２×８ユニット、Ｃ＝８×４ユニット、Ｄ＝２×４ユニット。加えて、合算される領域の可能性も考慮され、Ａ＋Ｂ＝１０×８ユニット、Ａ＋Ｃ＝８×１２ユニット、Ｂ＋Ｄ＝２×１２ユニット、Ｃ＋Ｄ＝１０×４ユニットのオプションも与えられる。このように領域分割された表示は、図８Ｂの複数の表示テンプレート９３と比較され、受信された入力によって生成された分割にもっとも良く整合する１つ以上の候補テンプレートを見出す。複数のテンプレートは、任意の接続可能な機器のための、利用可能な画面分割をすべて包含する、事前に定められたテンプレートのセットである。もしくは、例えば受容された携帯機器のタイプの判定結果、又は、利用可能とするテンプレートカテゴリのユーザの選択結果に基づいて、テンプレートの部分集合が利用可能とされても良い。
【００６３】
テンプレートを選択するための入力を促し、受信する選択プロセスが、図９を用いて説明される。
【００６４】
本例においては、図８Ａの画面９１と図８Ｂの複数のテンプレートとの比較に続いて、最初の候補テンプレートが、複写された携帯機器の表示上に重ねて表示される。候補テンプレートは、この候補テンプレートの使用により生成される実際の領域を示しつつ、インターフェースボタン１０３によってさらなる候補テンプレートを観るオプションを与えるとともに、インターフェースボタン１０５によって領域定義プロセスを再スタートさせるオプションを与える。図９に示されるように、本例において最初の候補テンプレートとして選択されたテンプレートは、１０７に示されるテンプレート９であり、図８Ａの画面９１への分割選択入力を通じて定義された領域Ａ、Ｂ、Ｃ、及びＤにそれぞれ対応する４つの領域Ａ、Ｂ、Ｃ、及びＤを有している。ただし、テンプレートは、固定された分割位置を持ち、最も類似するライン位置に基づく比較により特定されるので、テンプレートの分割は、分割選択入力によって生成された分割ラインに必ずしも正確に対応していないかもしれないことが理解される必要がある。
【００６５】
さらなる候補を観るためのインターフェースボタン１０３に対応する入力が受信された場合、携帯機器の表示の複写には、１０９にて示されるような次の候補テンプレートが重ね合わせられる。本例では、２番目の候補テンプレートは、１１１に示されるテンプレート３である。このテンプレートは、図８Ａのスクリーン９１への分割選択入力を通じて定義された領域Ａ、Ｂ＋Ｄ、及びＣにそれぞれ対応する３つの領域Ａ、Ｂ、及びＣを有している。
【００６６】
ユーザが候補テンプレートの１つを選択すると、画面分割プロセスは完了し、その分割によって生成された領域の分配が実行される。
【００６７】
図１０は、図５から図９を用いて与えられた教示に対応する方法ステップのフローチャートを示している。
【００６８】
図１０の方法の例では、テンプレートを突き止めて選択するプロセスがステップＳ４１でスタートし、そこにおいて、プロセスは、見込まれる領域の寸法を受信する。この寸法の受信は、任意の形態の画面分割定義入力のためのユーザ入力を求めることによって実行される。要請され、受信される適切な入力のタイプが以前に説明され、いくつかの例が図５、６、７Ａ、７Ｂ、７Ｃ、７Ｄ、７Ｅ、及び７Ｆに示されている。
【００６９】
寸法が受信されると、プロセスは、ステップＳ４３において、それらの寸法によって定義される各領域の比率を算出する。加えて、Ｓ４３は、合算される近隣の領域のための比率も算出する。このステップの出力の一例が、図８Ａ及び図８Ｂの説明中に与えられている。
【００７０】
算出された領域の比率に基づいて、ステップＳ４５において、その値が、テンプレートのセットのために記憶された値と比較される。上述したように、この比較により、算出された比率の組み合わせに近似したテンプレートを選択することが可能となる。受信された領域寸法の比率と、記憶されたテンプレートの比率とに依存して、ステップＳ４７において、１つよりも多いテンプレートが、候補テンプレートとして選択される。
【００７１】
次に、ステップＳ４９において、整合すると推定されるテンプレートがいくつ得られたかを判定するためにチェックが行われる。もし候補テンプレートが１つも得られなかったならば、ステップＳ５１において、受信された寸法によって生成された分割軸の１つが取り除かれ、候補テンプレートの数を増加することが試みられる。本例では、最初に、ｘ方向の最大の分割軸を取り除くためのデフォルトの指令がある。他の例では、最初の（又は、続いて起こる）軸除去の試みのためのデフォルトとして、他の可能性がある軸が選択されても良い。また、他の例では、選択入力に対して、より多数の候補テンプレートのリストが提供される前であれば、そのような、より多数の候補テンプレートのリストを発生させるために、多数の除去の試みが、並行して、もしくは順に実行されても良い。さらに、他の例では、ユーザは、最初に除去すべき軸を選択するオプションを与えられても良い。
【００７２】
受信された寸法によって定義される分割から軸が除去されると、ステップＳ５３において、軸の除去が、定義された境界線の無い領域を残しているかチェックすることによって、分割が可能であるかを判定するためのテストが実行される。もし分割が可能ではないと判定されると、プロセスは終了する。分割は可能であると判定されると、プロセスはステップＳ４１に戻り、入力寸法として、ステップＳ５１にて訂正された寸法を使用する。
【００７３】
一方、ステップＳ４９において、１つの候補テンプレートが得られたと判定されると、そのテンプレートが整合テンプレートとして選択され、その後、プロセスが終了する。
【００７４】
ステップＳ４９において、１よりも多い候補テンプレートが得られたと判定されると、ステップＳ５７において、整合の近さに従って、それらがランク付けされる。図９を参照して説明されたように、多数の異なるテンプレートが、選択のために、ユーザに提供される。そのような提供は、ここで説明されたプロセスの一部としてなされるか、ここで説明されたプロセスの完了後に実行される、別のプロセスであっても良い。
【００７５】
このように、コンピュータシステムが、如何にして、複写された表示のための画面分割に関連する入力を要請して受信するか、及び、画面分割に使用するための、１以上の利用可能なテンプレートをユーザに提供できるようにするために、その入力を予め定義されたテンプレートと比較するかを示す例が説明された。
【００７６】
上述したテンプレート選択の前の、手動のポイント入力、及び／又は、ライン入力に加えて、又は代えて、他の方法にて画面分割を提供することも可能である。１つの例は、システムが、ライン方向をユーザに選択させ、選択された方向にラインを引き、そして、ユーザに選択位置までラインを移動させることである。これは、テンプレートとして使用されるか、もしくは、テンプレート整合プロセスが実行され得る。別の例は、システムが、重ね合わせられる一連のテンプレートをユーザに与え、ユーザが、携帯機器の表示上で、テンプレートの位置を観ること、及び、使用されるテンプレートを選択することを可能にすることである。
【００７７】
さて、図１１及び図１２を参照して、複写される表示の情報源である機器が受容される、車両の１以上のターゲットディスプレイ上に、分割された複写表示の１以上の領域を分配することに関する説明が与えられる。
【００７８】
図１１は、以前に図９を参照して説明された、現在、選択されている候補テンプレートを示す画面１０１を示している。インターフェースボタン１０３によってさらなる候補テンプレートを観るオプション、及び、インターフェースボタン１０５（両方とも説明済み）によって領域定義プロセスを再スタートさせるオプションに加えて、画面１０１は、ユーザが表示されたテンプレートの領域を選択することを可能とするための領域選択ボタンを有している。４つの領域Ａ、Ｂ、Ｃ、及びＤがテンプレートに定義されている本例では、領域Ａ（１２１）、Ｂ（１２３）、Ｃ（１２５）、及びＤ（１２７）のそれぞれに１つずつ、４つの領域選択ボタンがある。
【００７９】
ユーザがそれらの領域選択ボタンの１つを選択すると、ターゲットディスプレイ選択画面が表示される。ボタン１２１を使って、領域Ａを選択する入力の例では、次に表示される画面は、画面１３１となり、それは、選択領域Ａを車両内のターゲットディスプレイに表示するオプションを提供する。利用可能なターゲットディスプレイは、車両内のスクリーンの利用可能性、寸法、選択領域のアスペクト比の組み合わせに依拠している。本例では、領域Ａに対して利用可能なディスプレイは、インストルメントパネル１３３、ミラー１３７、及び後席用画面１４１である。アスペクト比は、それらの画面の各々の全体のアスペクト比と必ずしも一致している必要はないので、あるいは、それらの画面の一部は、車両システムの表示のために予約されているかもしれないので、各ケースにおいて提供される表示領域は、該当の車両ディスプレイの全体のエリアよりも小さくなっている。従って、インストルメントパネル１３３内では、利用可能なディスプレイは、エリア１３５であり、ミラー１３７内では、利用可能なデイスプレイエリアはエリア１３９であり、後席用画面１４３内では、利用可能なデイスプレイエリアはエリア１４３である。
【００８０】
画面１０１において、ボタン１２５の使用により領域Ｃを選択するための入力を受信することによって、実際のところ、本例が続行される場合について考えた場合、画面１４５が表示されることになる。このケースにおいて、ターゲットディスプレイのオプションは、インストルメントパネル１３３の領域１４７と領域１４９、ミラー１３７の領域１５１、後席用画面１４１の領域１５３、及び中央下部ディスプレイ１５５の領域１５７と領域１５９のいずれかである。
【００８１】
画面１０１において、ボタン１２７の使用により領域Ｄを選択するための入力を受信することによって、実際のところ、本例が続行される場合について考えた場合、画面１６１が表示されることになる。このケースにおいて、ターゲットディスプレイのオプションは、インストルメントパネル１３３の領域１６３と領域１６５、ミラー１３７の領域１６７、後席用画面１４１の領域１６９、及び中央下部ディスプレイ１５５の領域１７１と領域１７３のいずれかである。
【００８２】
このように、複写される表示の情報源である機器が受容される車両のターゲットディスプレイへの分配のために、複写される表示の領域を選択するための入力をユーザが与えると、システムは、その領域が表示されるべき、いくつかの可能性があるターゲットディスプレイのどれかを選択するためのさらなる入力の機会を提供する。領域は、ターゲットディスプレイの全領域よりも少ない領域を占め、あるいは占めることが許容される一方、システムは、利用可能なターゲットディスプレイ内で与えられるエリアを示し、与えられるべき選択入力を提供する。
【００８３】
図１２は、上述された画面１０１によく似ているが、変更された画面１８１を示している。画面１０１と１８１との違いは、画面１８１では、車両内の表示のために既に選択された領域が利用できなくなる点にある。本例の目的のため、領域Ｃが表示のために以前に選択されており、その結果、ボタン１２５が表示されておらず、それどころか、領域Ｃが利用不可１８３として示される場合が考慮されている。さらに、本例では、領域Ｃのために選択されたターゲットディスプレイの位置がインストルメントパネルの下方領域（図１１の領域１６５）であることが考慮されている。
【００８４】
残っている領域選択ボタン１２１、１２３、１２７の１つがユーザによって選択されると、選択された領域のためのターゲットディスプレイ選択画面が表示される。ボタン１２１を使って、領域Ａを選択する入力の例では、次に表示される画面は、画面１３１となるが、この領域のために提供されるターゲットディスプレイエリアのいずれも、領域Ｃの表示のために前以て選択されたエリアとオーバーラップしていないし、競合もしていないので、本例では、図１１を参照して説明された画面１３１と同じものとなる。
【００８５】
画面１８１において、ボタン１２７の使用により領域Ｄを選択するための入力を受信することによって、実際のところ、本例が続行される場合について考えた場合、画面１６１が表示されることになる。領域Ｃの表示のための以前の選択がターゲットディスプレイエリア１６５を使用するものであったため、選択に利用できる領域１６５の代わりに、１８５にて示されるように、この領域は利用不可能となることを除いて、画面１６１は、図１１を参照して説明された画面と同じものである。
【００８６】
このように、複写される表示の情報源である機器が受容される車両のターゲットディスプレイへの分配のために、複写される表示の領域を選択するための入力をユーザが与えると、システムは、以前に選択された領域によって既使用となっていない、任意の可能性のあるターゲットディスプレイへの表示のために、さらなる領域が提供されうるデイスプレイの、そのさらなる領域を選択するために与えられるべき選択入力を提供する。
【００８７】
このように、車両内に受容される携帯機器から複写された表示を、いくつかの領域に分割し、それらの領域の１つ以上が、車両の利用可能なディスプレイの１つ以上の表示エリアに再現されることを可能とするシステムを実行するための、いくつかのアプローチの例が説明された。
【００８８】
上述したように、表示分割を可能とするシステムは、車両のコンピュータシステム内で実行される。コンピュータシステムは、携帯機器を受容（携帯機器とデータ接続を確立）することが可能であり、そこから、表示複写のストリームを受信することが可能である。また、コンピュータシステムは、画面分割を指示する入力を受け付けて、その入力に基づき、分割構造の提案を提供することが可能である。さらに、コンピュータシステムは、画面分割領域を選択する入力を受信するとともに、その選択された領域のために、車両内における表示エリアを選択する入力を受信することが可能である。また、コンピュータシステムは、選択された表示領域を、選択された表示エリアに導くことが可能である。そのような入力は、キーボード、タッチパッド、カーソルコントローラー、ジョイスティック、スイッチ、タッチスクリーンなどのタッチインターフェースを介して、あるいは、マイクロフォン及び音声認識エンジンなどの音声インターフェースを介して、受信される。
【００８９】
なお、表示全体が車両に複写され、車両が、領域選択のためのユーザインターフェースを提供するとともに、表示分割を実行することが説明されたが、他の例では、表示は携帯機器において分割され、選択された領域が１以上の車両ディスプレイでの表示のために車両に転送されても良い。この場合、利用可能な車両ディスプレイの詳細情報が携帯機器に提供される必要があり、各表示領域のストリームのためのターゲットディスプレイの特定情報が、車両コンピュータに提供される必要があるので、そのような実施には、車両と携帯機器との間で、大量の通信を行うことが必要となる。しかしながら、そのようなアプローチでは、機器は、その機器に適用可能なテンプレートさえ知っていれば良く、すべての可能性のある機器に対して必要となるテンプレートを知っている必要はないので、必要となるテンプレートに関する取り組みを低減することが期待できる。このような編成において、領域選択のためのユーザインターフェースを制御するためのソフトウエアは、例えば、いわゆる“アプリ”によって、車両製造業者が利用可能となる。
【００９０】
また、表示領域が、ユーザの自由裁量で、車両の多様なターゲットディスプレイに複写されることが説明されたが、車両コンピュータ又は車両の他の処理装置が、車両の状態に依存して、１つ以上のターゲットディスプレイへの複写を制限することも可能である。そのような車両の状態は、移動、閾値速度以上での移動、閾値速度以下での移動、停止、及びパーキングブレーキが使用されての停止などの運転状態を含む。いくつかの実施例では、特定の複写表示領域が、車両の１つ以上のターゲットディスプレイにおいて、利用可能とされたり、削除されたりされても良い。例えば、インターネットニュースや携帯機器からの映像のような複写コンテンツが、車両の移動中に、ドライバの注意を逸らさないように配置された車両のターゲットディスプレイに表示されても良い。配置の例としては、後席での視聴、及び／又は助手席での視聴のために搭載された画面を含む。車両が移動している間、ドライバが観ることができる全てのターゲットディスプレイにおける表示は、注意を逸らさない性質の他の複写コンテンツ、もしくは、速度、燃料、温度などの車両コンテンツのいずれか一方の他のコンテンツを含むようにしても良い。
【００９１】
車両が移動していないとき、もしくは、（例えば、“パーキング”ギヤ位置の選択、及び／又は、パーキングブレーキの適用によって）車両が駐車されていると判定されるときには、上で説明されたように、再結合プロセスの一部として実行される、元々のターゲットディスプレイ選択に従い、ドライバが観ることができる１つ以上のターゲットディスプレイに、注意をそらすようなコンテンツが表示される。
【００９２】
車両内に受容される携帯機器からの複写表示を多数の表示領域に分割し、そのような領域の１つ以上を、車両の選択された表示エリアに表示させるための種々の例や実施形態が説明されたが、それらは単なる例として提供されたものにすぎず、なんら本発明を制限するものではないことが理解されるべきである。また、当業者であれば、本開示の主旨や範囲を逸脱することなく、形態や詳細における多様な変更がなされうることが理解されるであろう。従って、本開示の広がりや範囲は、上述されたいかなる例によっても制限されず、付随する特許請求の範囲及びその均等範囲によってのみ定義されるべきものである。
【図１】
0005725259.tif 000002
【図２】
0005725259.tif 000003
【図３】
0005725259.tif 000004
【図４】
0005725259.tif 000005
【図５】
0005725259.tif 000006
【図６】
0005725259.tif 000007
【図７】
0005725259.tif 000008
【図８】
0005725259.tif 000009
【図９】
0005725259.tif 000010
【図１０】
0005725259.tif 000011
【図１１】
0005725259.tif 000012
【図１２】
0005725259.tif 000013